(57)【要約】【課題】  使用者の体力の消耗を減少できる動力式サーフボードを提供する。【解決手段】  サーフボード１は、後方に収納室１１があって、収納室１１には防水フレーム１２１を持つふた１２があり、前方には穴１６がある。モーター１３は、収納室１１内にあって、回転軸にスクリュー１３１があって動力として前進する。スイッチペダル１４１は、サーフボード１にあって、モーター１３及びスクリュー１３１の始動と停止をコントロールする。ハンドル２は、穴１６に取り付けられている。方向転換バー２２は、ハンドル２の下方にあって、下方の穴２２１内には両側に突起部分２２３のあるスプリング止め具２２２が取り付けられている。舵２３は、方向転換バー２２に取り付けられている。ベルト１６１は、サーフボード１に取り付けられている。【選択図】    図１
0003109601.tif 000002
【実用新案登録請求の範囲】
【請求項１】
電池の残量を表示する電量表示メーター及び海底や水底を鑑賞するための潜望鏡が取り付けられていて、後方には収納室があって、収納室には防水フレームを持つふたがあり、前方には穴があるサーフボードと、
前記サーフボードの収納室内にあって、収納室内には電池があり、それを電源とし、回転軸にはスクリューがあって動力として前進し、スクリューの後方にはねじでネットが取り付けられていて安全性が高くなっているモーターと、
前記サーフボードにあって、前記モーター及びスクリューの始動と停止をコントロールするためのスイッチペダルと、
前記サーフボードの前方にある穴に取り付けられ、下方には別に方向転換バーがあり、それがサーフボードの穴に挿入されてサーフボードの下方に露出し、底面と方向転換バーの間に別に折り畳み部分があって、折り畳み部分の下方はベースユニット板が組み合わされて構成されていて、ベースユニット板の一面にはボルトがあって、ボルトには差し込み固定柱及びナットが取り付けられていて、ベースユニット板が組み合わされると、ボルトが上に移動され、もう一つのベースユニット板の一面にある切り込み口内にはまり込み、ナットが締められ、差し込み固定柱がベースユニット板の頂上面にある固定槽内にはまり込んで固定されるハンドルと、
前記ハンドルの下方にあって、下方の穴内には両側に突起部分のあるスプリング止め具が取り付けられていて、突起部分はそれぞれ方向転換バーの両側の穴の外に露出するようになっていて、舵が取り付けられると、スプリング止め具の突起部分が舵の底面に飛び出して舵を固定するようになっている方向転換バーと、
前記方向転換バーに取り付けられている舵と、
サーフボードに取り付けられていて、水上で使用する際にこれを手や体に付けておくと、水中に落ちた時にすぐにサーフボードを引き寄せ可能であることにより、安全性を高めるのに役立つベルトからなり、
サーフィンをする際に、モーター及びスクリューの動力によって、サーファーが海岸から離れてサーフィンに適当な位置まで移動するのを楽にし、サーフィンの際に、海岸との間を往復する時間を大幅に短縮し、同時に体力の消耗を低く抑えることが可能であり、同時に、方向をコントロールするハンドル及び舵を取り付け可能であることにより、水上スポーツの際に方向をコントロール可能であり、方向転換も可能であることを特徴とする動力式サーフボード。
【請求項２】
サーフボードの周囲にプロテクターが取り付けられ、プロテクターは複数のゴムを組み合わせるか、厚手のエアクッションからなることを特徴とする請求項１に記載の動力式サーフボード。
【請求項３】
サーフボードの先端に切断面を持つ連結面があって、サーフボードの先端に先端ボードが形成され、サーフボードの下縁には差し込み穴を持つメイン接続部分があり、連結面の上縁には１個あるいは１個以上の固定槽があって、どの固定槽の一側面にも下方が空洞になった固定部分が伸びていて、一側面に挿入口が形成されていて、先端ボードの連結面の下方にも挿入釘があって、前記メイン接続部分にある差し込み穴に挿入するためのサブ接続部分があり、先端ボードの連結面の上方にも１個あるいは１個以上の固定槽に対応するＬ字型固定部分があって、どのＬ字型固定部分にも全て突起部分を持つスプリングがあって、組み合わせる時には、先端ボードの連結面とサーフボードの先端が突き合わされ、先端ボードのどのＬ字型固定部分も全てサーフボードの先端の固定槽の側面にある挿入口内にはまり込むようになっていて、このとき、先端ボードは一方向にスライドし、サブ接続部分の挿入釘がメイン接続部分の差し込み穴内に挿入され、同時に、Ｌ字型固定部分もまたスライドして固定槽の内側にはまり込み、このとき、スプリングの突起部分が固定部分の内側のはめ込み槽内に進入することで、先端ボードとサーフボードとを組み合わせて固定させ、取り外す際は、スプリングを押し、突起部分を固定部分のはめ込み槽から離脱させ、先端ボードを左にスライドさせると、先端ボードが取り外せるようになっていることを特徴とする請求項１に記載の動力式サーフボード。
【請求項４】
海底や水底を鑑賞するための潜望鏡を取り付けることが可能であり、底面に連結部分が取り付けられているフローボードと、
ステムの両側及び底面に方向ハンドル及び舵があって、人が上に乗って、両手で方向ハンドルを握り、舵を操作して、方向をコントロール可能である方向コントロールパーツと、
水上で使用する際にそれを手や体に付けておくと、水中に落ちた時にすぐにサーフボードを引き寄せることが可能であるために安全であるベルトからなることを特徴とするサーフボード。
【請求項５】
フローボードの底部にモーター及びスクリューがあって、動力として前進可能であり、スクリューの後方にはねじでネットが取り付けられていることにより安全であることを特徴とする請求項４に記載のサーフボード。
【請求項６】
サーフボードの周囲にプロテクターが取り付けられていて、プロテクターは複数のゴムを組み合わせるか、厚手のエアクッションからなることを特徴とする請求項４に記載のサーフボード。
【考案の詳細な説明】
【技術分野】
【０００１】
本考案は、動力式サーフボードに関する。本考案の動力式サーフボードは、モーター及びスクリューを動力とすることにより、海岸の岸辺からサーフィンに最も適した位置に戻ることが可能で、一往復のサーフィンにかかる時間を短縮でき、サーファーの体力の消耗も防げるという特長を持つ。また、サーフボードは、サーフィンに使用するほかに、ハンドルを組み合わせることで、水上でフローボードとして方向をコントロールしたり、方向転換したりすることが可能である。
【背景技術】
【０００２】
従来のサーフボードは、たいていサーフィンの経験があるサーファーが水上スポーツを行なう際に使用する。しかしながら、サーフィンは、熟練した技術を必要とすると同時に、優れた体力が要求される。一般に、サーフィンをする際には、サーファーは、サーフボードを使用して、波と反対の方向へ進み、海岸から遠く離れた位置まで前進し、それから、波に乗って岸まで戻って来る。
【考案の開示】
【考案が解決しようとする課題】
【０００３】
しかしながら、繰り返される往復動作は、サーファーの体力を著しく消耗すると同時に、時間も無駄になる。体力を消耗すると、疲れるので、必然的にサーフィンの回数が減少する。また、一般に、サーフボードは、波の方向か、人の力でコントロールするかによって移動させる。普通は、サーファーが足でこれをコントロールするのであるが、ビギナーにはなかなかうまくコントロールできず、思うように楽しむことが難しい。
【課題を解決するための手段】
【０００４】
本考案の動力式サーフボードは、サーフボードにモーター及びスクリューが取り付けられていて、これを動力として前進する。したがって、サーフィンをする際、モーター及びスクリューの動力によって、サーファーが海岸から離れてサーフィンに適当な位置まで移動するのを楽にし、サーフィンの際に海岸との間を往復する時間と体力を節約することが可能である。さらに、サーフボードの前方に着脱可能なハンドル及び方向をコントロールする舵があるので、サーフィン以外にも、ハンドルと舵を使用して、方向をコントロールしたり、方向転換したりして、その他の水上スポーツを楽しむことが可能である。
【考案を実施するための最良の形態】
【０００５】
図１から図４を参照いただきたい。本考案の一実施例による動力式サーフボードは、サーフボード１にモーター１３及びスクリュー１３１が取り付けてあり、これを動力として前進するようになっている。したがって、サーフィンをする際に、モーター１３及びスクリュー１３１の動力によって、サーファーが海岸から離れてサーフィンに適当な位置まで移動するのを楽にし、サーフィンの際に、海岸との間を往復する時間を大幅に短縮し、同時に体力の消耗を低く抑えることが可能である。また、サーフボード１の前方に穴１６があって、ここに方向をコントロールするためのハンドル２を取り付けることができる。ハンドル２の末端には折り畳み部分２１があって、これはベースユニット板２１１とベースユニット板２１４が組み合わされて構成されている。そのうち、ベースユニット板２１４の一面にはボルト２１５があって、ボルト２１５には差し込み固定柱２１６及びナット２１７が取り付けられる。ベースユニット板２１１とベースユニット板２１４が組み合わされると、ボルト２１５が上に移動されて、もう一つのベースユニット板２１１の一面にある切り込み口２１２内にはまり込む。そして、ナット２１７が締められ、差し込み固定柱２１６がベースユニット板２１１の頂上面にある固定槽２１３内にはまり込んで、上方のハンドル２を固定させる（図５、図６及び図７を参照いただきたい）。折り畳み部分２１の下方には別に方向転換バー２２があって、サーフボード１の穴１５を貫通した後、サーフボード１の下方に露出する。方向転換バー２２には組み立て穴２３１を持つ舵２３が取り付けられる。方向転換バー２２の下方の穴の中には両側に突起部分２２３のあるスプリング止め具２２２が取り付けられて、突起部分２２３はそれぞれ方向転換バー２２の両側の穴２２１の外に露出するようになっている。舵２３が方向転換バー２２に取り付けられると、スプリング止め具２２２の突起部分２２３が舵２３の底面に飛び出して、舵２３を固定する（図４及び図５を参照いただきたい）。さらに、取り外す際には、スプリング止め具２２２の両側の突起部分２２３を押すと、舵２３を取り外すことができ、ハンドル２をサーフボード１から分離させることが可能である。したがって、サーフボード１は、普段サーフィンに使用するほかに、ハンドル２を組み合わせると、水上でフローボードとして使用でき、方向をコントロールしたり、方向を転換させたりすることが可能である。さらに、サーフボード１にスイッチペダル１４１を取り付けると、サーフィンの際に補助動力が必要な時、スイッチペダル１４１を踏むことで、モーター１３及びスクリュー１３１を使用して、進むことができる。そして、スクリュー１３１の後方にねじ１３２１でネット１３２を取り付けると、安全性が増す。同時に、サーフボード１に別に電量表示メーター１５を取り付けて、電池１４の電量を表示することや、海底を鑑賞するための潜望鏡１０を取り付けることや、サーフボード１の周囲にプロテクター１００を取り付けることも可能である。プロテクター１００は、複数のゴムを組み合わせるか、厚手のエアクッションからなる。前述のモーター１３及びスクリュー１３１はサーフボード１の後方の収納室１１内にあって、収納室１１には防水フレーム１２１のあるふた１２が取り付けられている（図１Ａを参照いただきたい）。ふた１２が閉められ、周囲の固定ねじ１２２によってしっかりと閉められ、ふた１２は密閉度の高い防水効果を持つ。同時に、サーフボード１にはベルト１６１が取り付けられて、水上で使用する際にベルト１６１を手や体に付けておくと、水中に落ちた時にすぐにサーフボード１を引き寄せることができるので、安全である。
【０００６】
図８及び図８Ａを参照いただきたい。本考案の別の実施例によるサーフボード１の先端ボード１９は、着脱可能な設計になっている。サーフボード１の先端の連結面の下縁には、差し込み穴１７１を持つメイン接続部分１７がある。そして、連結面の上縁には１個あるいは１個以上の固定槽１８があって、どの固定槽１８の一側面にも下方が空洞になった固定部分１８２が伸びていて、一側面に挿入口１８１が形成されている。また、先端ボード１９の連結面の下方にも挿入釘１９２があって、前述のメイン接続部分１７にある差し込み穴１７１に挿入するためのサブ接続部分１９１がある。先端ボード１９の連結面の上方にも１個あるいは１個以上の固定槽１８に対応するＬ字型固定部分１９３がある。どのＬ字型固定部分１９３にも全て突起部分１９４１を持つスプリング１９４があって、組み合わせる時には、先端ボード１９の連結面とサーフボード１の先端が突き合わされ、先端ボード１９のどのＬ字型固定部分１９３も全てサーフボード１の先端の固定槽１８の側面にある挿入口１８１内にはまり込むようになっている。このとき、先端ボード１９は一方向にスライドし、サブ接続部分１９１の挿入釘１９２がメイン接続部分１７の差し込み穴１７１内に挿入される。同時に、Ｌ字型固定部分１９３もまたスライドして固定槽１８の内側にはまり込む。このとき、スプリング１９４の突起部分１９４１が固定部分１８２の内側のはめ込み槽１８２１内に進入することで、先端ボード１９とサーフボード１を組み合わせて固定させる。さらに、突起部分１９４１の一側面にある傾斜面１９４２は、組み合わせる時に、固定槽１８が進入しやすいようになっている。取り外す際は、スプリング１９４を押し、突起部分１９４１を固定部分１８２のはめ込み槽１８２１から離脱させ、先端ボード１９を左にスライドさせると、先端ボード１９が取り外せるようになっている。また、本考案のさらに別の実施例の設計は、水上で使用するフローボード３としても使用が可能である。海底や水底を鑑賞するための潜望鏡３０を取り付けたり、周囲にプロテクター３００を取り付けることも可能である。プロテクター３００は、複数のゴムを組み合わせるか、厚手のエアクッションからなる。また、底面に連結部分３１を取り付け、そこに方向をコントロールするパーツが取り付けられる。方向コントロールパーツには、ステム４１の両側及び底面に方向ハンドル４及び舵４２がある。人が上に乗って、両手で方向ハンドル４を握り、舵４２を操作して、方向をコントロールすることができる。同時に、フローボード３の底部にはモーター３２及びスクリュー３２１があって、動力として前進することが可能である。また、プッシュタイプの電源スイッチ３４があって、モーター１３の始動と停止をコントロールするようになっている。スクリュー３２１の後方にはねじ３２２１でネット３２２が取り付けられているので、安全である。同時に、フローボード３にはベルト３５が取り付けられていて、水上で使用する際にベルト３５を手や体に付けておくと、水中に落ちた時にすぐにフローボード３を引き寄せることができるので、安全である（図９を参照いただきたい）。さらに、フローボード３は、必要に応じてステム４１、方向ハンドル４または舵４２を取り付けないで使用することも可能である（図１０を参照いただきたい）。
【０００７】
本考案の動力式サーフボードは、サーフボードにモーター及びスクリューが取り付けられていて、これを動力として前進する。したがって、サーフィンをする際、モーター及びスクリューの動力によって、サーファーが海岸から離れてサーフィンに適当な位置まで移動するのを楽にし、サーフィンの際に海岸との間を往復する時間を大幅に短縮し、同時に体力の消耗を低く抑えるという効果がある。
【０００８】
また、本考案のサーフボードは、サーフボードの前方に着脱可能なハンドル及び方向をコントロールする舵があるので、サーフィン以外にも、このハンドルと舵を使用して、方向をコントロールしたり、方向転換をしたりして、その他の水上スポーツを楽しむことが可能であるため、サーフボードとしての実用性が高いという効果がある。
【図面の簡単な説明】
【０００９】
【図１】本考案の一実施例による動力式サーフボードを示す分解斜視図である。
【図１Ａ】本考案の一実施例による動力式サーフボードのふたを示す分解斜視図である。
【図１Ｂ】本考案の一実施例による動力式サーフボードのふたを締めて固定するねじを示す斜視図である。
【図２】本考案の一実施例による動力式サーフボードにハンドル及び舵が取り付けられている状態を示す斜視図である。
【図３】本考案の一実施例による動力式サーフボードのハンドルが収納されている状態を示す斜視図である。
【図４】本考案の一実施例による動力式サーフボードにハンドルを取り付けた状態を示す断面図である。
【図５】本考案の一実施例による動力式サーフボードのハンドルの折り畳み部分を示す斜視図である。
【図６】本考案の一実施例による動力式サーフボードのハンドルの折り畳み部分のロックをしていない状態を示す断面図である。
【図７】本考案の一実施例による動力式サーフボードのハンドルの折り畳み部分のロックをした状態を示す断面図である。
【図８】動力式サーフボードの先端ボードが着脱可能な本考案の別の実施例を示す分解斜視図である。
【図８Ａ】本考案の別の実施例による動力式サーフボードの先端ボードとサーフボードを連結する部分を示す斜視図である。
【図９】本考案のさらに別の実施例による動力式サーフボードの水上フローボードを示す分解斜視図である。
【図１０】図９の変形例を示す斜視図である。
【符号の説明】
【００１０】
１  サーフボード、２  ハンドル、３  フローボード、４  方向ハンドル、１０  潜望鏡、１１  収納室、１２  ふた、１３  モーター、１４  電池、１５  電量表示メーター、１６  穴、１７  メイン接続部分、１８  固定槽、１９  先端ボード、２１  折り畳み部分、２２  方向転換バー、２３  舵、３０  潜望鏡、３１  連結部分、３２  モーター、３３  電池、３４  電源スイッチ、３５  ベルト、４１  ステム、４２  舵、１００  プロテクター、１２１  防水フレーム、１２２  固定ねじ、１３１  スクリュー、１３２  ネット、１４１  スイッチペダル、１６１  ベルト、１７１  差し込み穴、１８１  挿入口、１８２  固定部分、１９１  サブ接続部分、１９２  挿入釘、１９３  Ｌ字型固定部分、１９４  スプリング、２１１  ベースユニット板、２１２  切り込み口、２１３  固定槽、２１４  ベースユニット板、２１５  ボルト、２１６  差し込み固定柱、２１７  ナット、２２１  穴、２２２  スプリング止め具、２２３  突起部分、２３１  組み立て穴、３００  プロテクター、３２１  スクリュー、３２２  ネット、１３２１  ねじ、１８２１  はめ込み槽、１９４１  突起部分、１９４２  傾斜面、３２２１  ねじ
【図１】
0003109601.tif 000003
【図１Ａ】
0003109601.tif 000004
【図１Ｂ】
0003109601.tif 000005
【図２】
0003109601.tif 000006
【図３】
0003109601.tif 000007
【図４】
0003109601.tif 000008
【図５】
0003109601.tif 000009
【図６】
0003109601.tif 000010
【図７】
0003109601.tif 000011
【図８】
0003109601.tif 000012
【図８Ａ】
0003109601.tif 000013
【図９】
0003109601.tif 000014
【図１０】
0003109601.tif 000015